(57)【特許請求の範囲】
【請求項１】
精米室の白米出口を開閉するように出退するとともに白米出口から排出される白米を所定箇所に導く出口開度調整用の開度調整部材と、この開度調整部材を白米出口に対して出退するように移動させる開度調整用駆動アームとが設けられ、この開度調整部材により出口開度を調整しながら精米する精米機の精白装置であって、前記開度調整部材が、開度調整用駆動アームに連結される調整部材本体と、精米室内に臨む抵抗面部と白米出口から排出される白米を所定箇所に導く案内筒部とが一体形成されている内面部材と、調整部材本体と内面部材との間に介装されている断熱材とを有することを特徴とする精米機の精白装置。
【請求項２】
内面部材が調整部材本体よりも薄肉に形成されていることを特徴とする請求項１に記載の精米機の精白装置。
【請求項３】
内面部材が調整部材本体よりも熱伝導率が高い部材で形成されていることを特徴とする請求項１または２に記載の精米機の精白装置。
【請求項４】
精米機から排出された白米を受ける白米ホッパに、内面部材の内側箇所を反射して視認可能にする鏡面部が設けられていることを特徴とする請求項１〜３の何れかに記載の精米機の精白装置。
【発明の詳細な説明】
【０００１】
【発明の属する技術分野】
本発明は精米機の精白装置に関する。
【０００２】
【従来の技術】
特開平１１−１３８０３１号公報には図１０〜図１２に示すような縦型の精米機１が開示されている。
【０００３】
縦方向に配置された本体ケーシング２内に、図外の駆動モータにより駆動プーリ３を介して回転される中空の駆動軸４が配設され、駆動軸４の上部に送りロール５が、また駆動軸４の下部に突条部を有する精米ロール６がそれぞれ取り付けられ、これらの送りロール５および精米ロール６が駆動軸４とともに一体的に回転する。送りロール５および精米ロール６の外周側には精米室７の外殻部分をなす金属製の網８が配置され、網８内の糠を糠排出部８ａ（図１２参照）を介して空気とともに吸引して糠用送風機（図示せず）から排出する。また、本体ケーシング２の上部には、玄米を一時的に溜める玄米タンク２５から供給された玄米を精米室７内に送り込む供給用スクリュ９および供給用ケーシング１０を配設している。
【０００４】
本体ケーシング２の下端部に配設された下部ケーシング２ａには、精米室７下端の白米出口１２を開閉するように出退するとともに白米出口１２から排出される白米を下方に導く開度調整部材１１が昇降自在に嵌合されている。開度調整部材１１は、精米室４内に臨む抵抗面部１１ａと白米出口１２から排出される白米を所定箇所に導く案内筒部１１ｂとが、ステンレス材などの金属材で一体形成されている。
【０００５】
開度調整部材１１の開度を調整するために設けられた開度調整用モータ１３の回転軸には開度調整用ねじ軸１５が一体的に回転するように連結されており、この開度調整用ねじ軸１５に開度調整用ブロック１６が螺合している。また、開度調整部材１１に連結された開度調整用駆動アーム１４とともに開度調整用ねじ軸１５に挿通された平ワッシャ１７と開度調整用ブロック１６との間に、開度調整用駆動アーム１４の一端を下方に付勢して白米出口１２の出口開度が小さくなる方向に付勢する開度調整用付勢ばね１８が介装され、この開度調整用付勢ばね１８は、外力が作用していない状態では、ほぼ図１１に示す長さになるものが使用されている。
【０００６】
そして、開度調整用モータ１３を駆動して、図１０に示すように開度調整用ブロック１６を下げた状態では、開度調整用駆動アーム１４に対する開度調整用付勢ばね１８の付勢力が強められて開度調整部材１１の出口開度が小さくなる方向に強く付勢される。一方、開度調整用モータ１３を駆動して、図１１に示すように開度調整用ブロック１６を上端位置まで上昇させた状態では、開度調整用駆動アーム１４に対して開度調整用付勢ばね１８の付勢力が作用せず、開度調整部材１１の自重によりこれらが図１１に示す位置まで下降して白米出口１２が開けられた状態となるように構成されている。
【０００７】
なお、図１０、図１１における２１は開度調整用駆動アーム１４を揺動自在に支持するアーム支持ピン、２２は開度調整用駆動アーム１４の端部と開度調整部材１１とを連結する連結ピンである。
【０００８】
精米室７に連続的に玄米が供給される通常精米時には、図１０に示すように、開度調整部材１１が上方に押し上げられている。送りロール５による押し込みによって精米室７の内圧が規定以上に高くなると、開度調整部材１１が開度調整用付勢ばね１８の付勢力に抗して降下して精米室７の内圧が規定値になるように制御され、規定の内圧に調整された精米室７の中の玄米が精米ロール６によって掻き回されて精米される。精米室７において精米動作により発生した糠は、精米室７から網８を通って流れる空気流に伴って糠出口８ａから放出され、精白された白米は、精米ロール６の下端部と開度調整部材１１との間に開口された白米出口１２から排出される。精米時の白度は、例えば、「上白」、「標準」、「７ぶ」、「５ぶ」などに選択可能とされており、たとえば「標準」を選択した際には、「上白」を選択した際より規定の内圧が低く、「７ぶ」を選択した際より規定の内圧が高くなるように開度調整用付勢ばね１８による付勢力が調整される。
【０００９】
このように、開度調整部材１１に付勢力を与えて精米室７が適正な内圧となるように調整することにより、選択した白度に応じて精米される。特に、開度調整用付勢ばね１８の付勢力を与えて開度調整部材１１の位置を調整しているので、精米室７の内圧が急激に変動することがあった場合でも、内圧の変動に基づいて開度調整用モータ１３が駆動制御されることに先立って、精米室７が適正な内圧となるように開度調整用付勢ばね１８がすぐに伸縮し、この結果、開度調整部材１１が高い感度で適正な位置へ移動するように追随することとなり、適切な白度の米が良好に得られる利点がある。
【００１０】
【発明が解決しようとする課題】
ところで、精米機１の精米室７内では処理米（玄米および白米）同士が擦れ合うとともに、精米室４をなす壁面部分にも処理米が擦れるため、この際に熱を発生して、精米室７内の温度が上昇する。また、精米室７内で発生した糠は大部分が糠用送風機により吸引されて外部に排出されるが、一部の糠は白米に付着した状態で排出される。この場合に、特に気温の低くなる冬季などには開度調整部材１１の案内筒部１１ｂが外気温度と同じ冷たい状態となっているため、白米が白米出口１２から排出された際に、精米室７内の暖かい空気が開度調整部材１１の案内筒部１１ｂに触れて一気に冷やされ、空気中に含まれていた水分が開度調整部材１１の案内筒部１１ｂに付着して結露し、この結露した箇所に、排出された白米に付いていた糠が付着することがあった。このように糠が開度調整部材１１の案内筒部１１ｂの内面に付着することが度重なると、糠が成長して案内筒部１１ｂの内側開口部分を閉塞してしまう恐れがある。
【００１１】
これに対処する手法として、開度調整部材１１の案内筒部１１ｂにヒータを内蔵して、開度調整部材１１の案内筒部１１ｂに結露を生じないようにすることが考えられるが、これによれば、製造コストが高価となるだけでなく、電気代も高額となってしまう。
【００１２】
本発明は上記課題を解決するもので、製造コストや電気代の大幅な上昇を招くことなく、開度調整部材の案内筒部の内面に糠が付着することを防止できる精米機の精白装置を提供することを目的とするものである。
【００１３】
【課題を解決するための手段】
上記課題を解決するために、請求項１記載の発明は、精米室の白米出口を開閉するように出退するとともに白米出口から排出される白米を所定箇所に導く出口開度調整用の開度調整部材と、この開度調整部材を白米出口に対して出退するように移動させる開度調整用駆動アームとが設けられ、この開度調整部材により出口開度を調整しながら精米する精米機の精白装置であって、前記開度調整部材が、開度調整用駆動アームに連結される調整部材本体と、精米室内に臨む抵抗面部と白米出口から排出される白米を所定箇所に導く案内筒部とが一体形成されている内面部材と、調整部材本体と内面部材との間に介装されている断熱材とを有することを特徴とする。
【００１４】
上記構成によれば、白米を導く案内筒部が設けられている内面部材が、断熱材を介して調整部材本体から断熱され、さらに、内面部材の案内筒部が、精米室内に臨む抵抗面部と一体に形成されているので、精米時に、精米室に臨む内面部材の抵抗面部で受けた熱が、調整部材本体側に逃げることなく、抵抗面部と一体に形成された内面部材の案内筒部に伝達され、案内筒部が暖められる。したがって、特に気温の低くなる冬季などに、精米室内の暖かい空気が開度調整部材の案内筒部に触れた際でも、結露を生じ難くなり、この結果、糠の付着を防止することができる。
【００１５】
請求項２記載の発明は、請求項１に記載の精米機の精白装置において、内面部材が調整部材本体よりも薄肉に形成されていることを特徴とする。
この構成により、内面部材の抵抗面部に受ける熱量が比較的小さいものであっても、内面部材全体が良好に加熱され易くなり、案内筒部が暖かい状態に良好に維持される。したがって、さらに結露を生じ難くなり、糠の付着をより確実に防止することができる。
【００１６】
請求項３記載の発明は、請求項１または２に記載の精米機の精白装置において、内面部材が調整部材本体よりも熱伝導率が高い部材で形成されていることを特徴とする。
【００１７】
この構成によれば、内面部材の抵抗面部から案内筒部へさらに良好に熱が伝達されるため、案内筒部が暖かい状態に迅速に達し、精米初期における糠の付着を防止することができる。
【００１８】
請求項４記載の発明は、請求項１〜３の何れかに記載の精米機の精白装置において、精米機から排出された白米を受ける白米ホッパに、内面部材の内側箇所を反射して視認可能にする鏡面部が設けられていることを特徴とする。
【００１９】
この構成によれば、内面部材の内面に糠が付着していないかどうかを確認したい場合には、精米機の開度調整部材などを分解しなくても、内面部材の内側箇所を鏡面部を介して見ることができるので、利便性が向上する。
【００２０】
【発明の実施の形態】
以下、本発明の実施の形態について、図面を用いて説明する。なお、従来の精米機と同様な機能のものには同符号を付して、その説明は省略する。
【００２１】
図１〜図５に示すように、この精米機５０においても、精米室７の白米出口１２を開閉するように出退するとともに白米出口１２から排出される白米を、精米機５０の下方に配設されている白米ホッパ６０側に導く出口開度調整用の開度調整部材５１が設けられているが、この開度調整部材５１の構造が従来のものとは異なる。
【００２２】
すなわち、図６、図７に示すように、開度調整部材５１は、開度調整用駆動アーム１４に連結ピン２２を介して連結される調整部材本体５２と、精米室７内に臨む抵抗面部５３ａと白米出口１２から排出される白米を白米ホッパ６０側（下方側）に導く案内筒部５３ｂとが一体形成されている内面部材５３と、調整部材部材本体５２と内面部材５３との間に介装されている直円筒形状の断熱材５４とから構成されている。
【００２３】
調整部材本体５２は、厚肉のステンレス製とされ、略直円筒形状とされている。そして、調整部材本体５２の下端部には、本体ケーシング２の下端部に配設された下部ケーシング２ａの内周面に摺接するスライド面部５２ａが設けられ、このスライド面部５２ａが下部ケーシング２ａの内周面に摺接しながら、開度調整部材５１が昇降される。また、この調整部材本体５２の両側部から側方に突出するように連結ピン２２が立設されている。
【００２４】
内面部材５３は、全体が薄肉状（調整部材本体５２よりも遥かに薄い厚み）の金属板で構成されている。この内面部材５３は、直円筒形状とされて、白米出口１２から排出される白米を下方に導く案内筒部５３ａと、案内筒部５３ａの上端から斜め上方に広がるように鍔状に延設された抵抗面部５３ｂとから構成され、抵抗面部５３ｂが精米室７内に臨んでおり、抵抗面部５３ｂにて白米出口１２を開閉するようになっている。また、内面部材５３の素材として、調整部材本体５２よりも熱伝導率の高いものが用いられており、同じステンレスでも調整部材本体５２よりも熱伝導率の高い材料や、銅板などが用いられている。
【００２５】
なお、開度調整部材５１と断熱材５４と内面部材５３とは、接着剤などにより一体的に固定させてもよいが、ビスやナットなどにより固定してもよい。
この精米機５０は、コインや紙幣などの各種貨幣を投入することにより自動的に精米作業を行ういわゆるコイン式精米設備に設けられている。図３〜図５に示すように、このコイン精米設備７０は、仕切壁７１により建屋７２の内部が、利用客が自由に出入りできる客室７３と、係員などが出入り可能な機械室７４とに仕切られており、機械室７４に、精米機５０や石抜機７６、糠排出用の送風機７７、昇降装置７８、７９などが配設されている。さらに、機械室７４には、上述のような各種装置や糠回収袋８１も配置されており、これらの各種装置のメンテナンスや糠回収を行う際に保守係員が機械室７４に出入りできるように、機械室７４に面した建屋７２の後部に係員用扉８４が設けられている。
【００２６】
また、仕切壁７１における客室７３に面する位置にコイン投入口８２や精白度選択ボタン８３などが設けられた制御盤８５が設けられ、また、仕切壁７１から奥まるように、玄米を投入する張込ホッパ８６が配設され、さらに、精米機５０の下方位置において、仕切壁７１から手前側に突出するように、白米ホッパ６０が配設されている。
【００２７】
白米ホッパ６０の下方近傍に位置する建屋７２の床面には、白米ホッパ６０の開閉口を開閉するための、開閉用ペダル８７が配設されている。そして、利用者が白米ホッパ６０の下方に白米回収袋９０などを置いた状態で、開閉用ペダル８７を踏むことで白米ホッパ６０の開閉口が開いて、白米ホッパ６０内に溜められた白米が、白米回収袋９０内に回収されるようになっている。
【００２８】
ここで、図８に示すように、白米ホッパ６０は、白米ホッパ６０内が見やすくなるように、手前側が若干下方に窪んで形成されている。また、白米ホッパ６０の下背面部６０ａは、斜め下方ほど手前側となるように傾斜して形成され、この下背面部６０ａの前面における、精米機５０から排出された白米が落下する箇所には、鏡面仕上げされたステンレス板からなる鏡面部６１が貼り付けられている。そして、この鏡面部６１は下背面部６０ａに沿って上下方向に延設され、利用者などが白米ホッパ６０の手前に立った状態で鏡面部６１を見ると、精米機５０の開度調整部材５１、特に案内筒部５３ａの内側箇所が、鏡面部６１に反射して投影されて、下方から覗き込んだような状態で見えるよう構成されている。なお、図９におけるＸは、案内筒部５３ａの内側箇所が鏡面部６１に反射して投影されている部分を示す。
【００２９】
なお、図９における７１ａは、仕切壁７１における精米機５０の下方位置で水平に延びるように配設された水平仕切部で、開度調整部材５１の下端部が通るように孔部が形成されているが、この水平仕切部７１ａを手前側などに開閉自在として開度調整部材５１のメンテナンス作業を行い易いように構成してもよく、さらには、視界を遮らない範囲内で、精米機５０側に利用者などが手を入れないように、下方ほど開口面積が小さくなる逆円錐台形状の白米シュートなどを設けてもよい。
【００３０】
上記構成によれば、白米を導く案内筒部５３ｂが設けられている内面部材５３が、断熱材５４を介して、熱容量の大きな調整部材本体５２から断熱され、さらに、内面部材５３の案内筒部５３ｂが、精米室７内に臨む抵抗面部５３ａと一体に形成されているので、精米時に、精米室７に臨む内面部材５３の抵抗面部５３ａで受けた熱が、調整部材本体５３側に逃げることなく、抵抗面部５３ａと一体に形成された内面部材５３の案内筒部５３ｂに伝達され、案内筒部５３ｂが暖ためられる。したがって、特に気温の低くなる冬季などに、精米動作を行って、白米が白米出口１２から排出された際に、精米室７内の暖かい空気が開度調整部材５１の案内筒部５３ｂに触れた際でも、この案内筒部５３ｂにおいて結露を生じ難くなり、この結果、糠の付着を防止することができる。
【００３１】
また、内面部材５３が調整部材本体５２よりも薄肉に形成されているので、内面部材５３の抵抗面部５３ａで精米室７内から受ける熱量が比較的小さいものであっても、内面部材５３全体が良好に加熱され易くなり、案内筒部５３ｂが暖かい状態に良好に維持される。したがって、さらに結露を生じ難くなり、糠の付着をより確実に防止することができる。
【００３２】
さらに、内面部材５３が調整部材本体５２よりも熱伝導率が高い部材で形成されているので、内面部材５３の抵抗面部５３ａから案内筒部５３ｂへ良好に熱が伝達され、案内筒部５３ｂが暖かい状態に迅速に達し、精米初期における糠の付着も防止することができる。
【００３３】
また、開度調整部材５１として調整部材本体５２と断熱材５４と内面部材５３とを設けただけの簡単な構造であるとともに、ヒータなどを使用しないので、製造コストの増加を最小限に抑えることができるとともに、電気代が増えることもない。
【００３４】
また、精米機５０から排出された白米を受ける白米ホッパ６０に、白米を正面から見た状態で、内面部材５３の内側箇所を反射して視認可能にする鏡面部６１が設けられているので、内面部材５３の内側箇所の状態を、鏡面部６１を介して見て容易に確認することができて、利便性が向上する。すなわち、精米機５０の下方に精米ホッパ６０があるため、配置によっては、内面部材５３の内側箇所の状態を下から覗き込むこともできない場合があり、この場合は、内面部材５３の糠付着状態を確認しようと思うと、精米機５０の配置箇所を操作できるように機械室７４内に入ったり、水平仕切部７１ａを開けたりした後、精米機５０を分解しなければならず、非常に多くの手間や時間がかかることとなるが、このような作業をしなくても済む。
【００３５】
さらに、鏡面部６１がステンレス材を鏡面処理することにより形成されて、表面が滑りやすい状態に維持されているので、鏡面部６１が割れたりすることを防止できるとともに、精米機５０から排出された白米が鏡面部６１上に落ちても、白米に付着した糠が鏡面部６１に付着することを最小限に抑えることができる。なお、鏡面部６１としてはステンレス材以外のもので構成してもよいが、良好に光線を反射できて、表面粗さが極めて小さいものが望ましい。
【００３６】
【発明の効果】
以上のように本発明によれば、精米室の白米出口を開閉するように出退するとともに白米出口から排出される白米を所定箇所に導く出口開度調整用の開度調整部材として、調整部材本体と、精米室内に臨む抵抗面部と白米出口から排出される白米を所定箇所に導く案内筒部とが一体形成されている内面部材と、調整部材部材本体と内面部材との間に介装されている断熱材とを有せしめることにより、精米室内から内面部材の抵抗面部で受けた熱を、内面部材の案内筒部に伝達して、案内筒部が暖ためることができ、気温の低くなる冬季などでも、開度調整部材の案内筒部に結露を生じ難くなり、糠の付着を防止することができる。また、開度調整部材として調整部材本体と断熱材と内面部材とを設けただけの簡単な構造であるとともに、ヒータなどを使用しないので、製造コストの増加を最小限に抑えることができるとともに、電気代が増えることもない。
【００３７】
また、内面部材を調整部材本体よりも薄肉に形成することにより、内面部材の抵抗面部に受ける熱量が比較的小さいものであっても、内面部材全体が良好に加熱され易くなり、案内筒部が暖かい状態に良好に維持され、糠の付着をより確実に防止することができる。
【００３８】
また、内面部材を調整部材本体よりも熱伝導率が高い部材で形成することにより、内面部材の抵抗面部から案内筒部へさらに良好に熱が伝達されるため、案内筒部が暖かい状態に迅速に達し、精米初期における糠の付着を防止することができる。
【００３９】
また、白米ホッパに、内面部材の内側箇所を反射して視認可能にする鏡面部を設けることにより、内面部材の内側箇所を鏡面部を介して見ることができるので、利便性が向上する。
【図面の簡単な説明】
【図１】本発明の実施の形態にかかる精米機の部分切欠正面図で、精米時における白米出口開度が小さい状態を示す。
【図２】本発明の実施の形態にかかる精米機の部分切欠正面図で、精米時における白米出口開度が大きい状態を示す。
【図３】同精米機が設けられているコイン精米設備の側面断面図である。
【図４】同コイン精米設備の客室内を示す正面図である。
【図５】同コイン精米設備の平面断面図である。
【図６】同精米機の開度調整部材の分解斜視図である。
【図７】同開度調整部材の部分切欠斜視図である。
【図８】同コイン精米設備の精米機および白米ホッパを概略的に示す側面断面図である。
【図９】同コイン精米設備の精米機および白米ホッパを概略的に示す斜視図である。
【図１０】従来の精米機の部分切欠正面図で、精米時における白米出口開度が小さい状態を示す。
【図１１】従来の精米機の部分切欠正面図で、精米時における白米出口開度が大きい状態を示す。
【図１２】同従来の精米機およびその近傍箇所を簡略的に示す部分切欠側面図である。
【符号の説明】
２        本体ケーシング
２ａ      下部ケーシング
７        精米室
１２      白米出口
１４      開度調整用駆動アーム
２２      連結ピン
５０      精米機
５１      開度調整部材
５２      調整部材本体
５２ａ    スライド面部
５３      内面部材
５３ａ    抵抗面部
５３ｂ    案内筒部
５４      断熱材
６０      白米ホッパ
６１      鏡面部
７０      コイン精米設備
【図１】
0003916496.tif 000002
【図２】
0003916496.tif 000003
【図３】
0003916496.tif 000004
【図４】
0003916496.tif 000005
【図５】
0003916496.tif 000006
【図６】
0003916496.tif 000007
【図７】
0003916496.tif 000008
【図８】
0003916496.tif 000009
【図９】
0003916496.tif 000010
【図１０】
0003916496.tif 000011
【図１１】
0003916496.tif 000012
【図１２】
0003916496.tif 000013